(57)【要約】【課題】ジョブ情報の読み出し及び書き込みの動作速度の低下の防止及び大量蓄積化を図り、ジョブ情報の管理機能の向上を図る。【解決手段】実行が完了したジョブのジョブ履歴データを記憶するＲＡＭ１２と、ジョブ履歴情報を記憶する容量がＲＡＭ１２よりも大きい不揮発性のＨＤＤ１３と、ジョブ履歴データをＲＡＭ１２及びＨＤＤ１３に記憶させ、ジョブ履歴データを管理する制御部１０と、を備える画像形成装置。【選択図】図１
2008302578.tif 000002
【特許請求の範囲】
【請求項１】
実行が完了したジョブのジョブ情報を記憶する第１記憶手段と、
前記ジョブ情報を記憶する容量が前記第１記憶手段よりも大きい不揮発性の第２記憶手段と、
前記ジョブ情報を前記第１記憶手段及び前記第２記憶手段に記憶させ、前記ジョブ情報を管理する制御手段と、
を備える画像形成装置。
【請求項２】
前記第１記憶手段は、
前記ジョブ情報の書き込み及び読み出しが前記第２記憶手段よりも高速であり、前記ジョブ情報を記憶する第１記憶領域と、前記第２記憶手段に記憶する前記ジョブ情報を予め設定された数だけ記憶する第２記憶領域と、を有し、
前記制御手段は、
定期的に前記第２記憶領域に記憶された前記ジョブ情報を前記第２記憶手段に記憶させる、
請求項１に記載の画像形成装置。
【請求項３】
前記ジョブ情報を表示する表示手段と、
前記表示手段に前記第２記憶手段に記憶されている前記ジョブ情報を表示させる指示を受け付ける入力手段と、
を備え、
前記制御手段は、
前記入力手段により前記第２記憶手段に記憶されている前記ジョブ情報を表示させる指示を受け付けた場合、前記第２記憶手段に記憶されている前記ジョブ情報を読み出して前記第１記憶領域に記憶させ、前記第１記憶領域に記憶された当該ジョブ情報を前記表示手段に表示させる、
請求項２に記載の画像形成装置。
【請求項４】
前記制御手段は、
前記入力手段により前記第２記憶手段に記憶されている前記ジョブ情報を表示させる指示を受け付けた場合、前記第２記憶領域に記憶された前記ジョブ情報を前記第２記憶手段に記憶させ、前記第１記憶領域に記憶されている前記ジョブ情報の件数を記憶した後、前記第２記憶手段に記憶されている前記ジョブ情報を読み出し、前記第２記憶手段に記憶されている前記ジョブ情報の表示を終了する場合、前記第２記憶手段に記憶されている前記ジョブ情報のうち最新の前記ジョブ情報から前記件数分のジョブ情報を前記第１記憶領域に記憶させる、
請求項３に記載の画像形成装置。
【発明の詳細な説明】
【技術分野】
【０００１】
本発明は、画像形成装置に関する。
【背景技術】
【０００２】
近年、プリンタ、スキャナ、ファクシミリ、複写機又はこれらの画像形成機能、複写機能、スキャン機能及びファックス機能等の種々の機能が搭載されたＭＦＰ（Multi Function Printer）等の画像形成装置が知られている。
【０００３】
画像形成装置が実行するジョブの情報（以下、ジョブ情報）は、実行が完了したジョブのジョブ情報をメモリに記憶させ、当該ジョブ情報をユーザの用途や予め定められた項目に従って集計し、この集計結果を表示したりジョブ情報の履歴を表示したりすることを目的として管理されている。
【０００４】
例えば、クライアントコンピュータからジョブ情報を集計する際の集計項目が設定され、ジョブログ記録部に記録されたジョブ情報から設定された集計項目に基づいてジョブ情報を取得し、取得したジョブ情報に含まれる履歴情報を集計し、集計した履歴情報の集計結果をクライアントコンピュータに出力することにより、クライアントコンピュータからプリンタに出力されたジョブ情報を管理するジョブアカウントサーバ、が開示されている（特許文献１参照）。
【特許文献１】特開２００４−１７８３２５号公報
【発明の開示】
【発明が解決しようとする課題】
【０００５】
しかしながら、特許文献１では、ジョブ情報を画像形成装置の外部に設けられた外部装置に保存させ、当該外部装置においてジョブ情報を管理させている。そのため、画像形成装置と外部装置とのジョブ情報を送受信する通信状態の影響を受けやすく、ジョブ情報をメモリに保存できず保存待機状態となってしまったり、ジョブ情報をメモリから読み出すことができず読み出し待機状態となってしまったりして、ジョブ情報を保存するメモリへの通信速度が低下する恐れがあり、不安定なものである。
【０００６】
また、外部装置にジョブ情報を保存させずに画像形成装置内のメモリにジョブ情報を保存したとしても、当該メモリには記憶容量の制限があるため、古いジョブ情報から順次削除されてしまったり、当該メモリが揮発性メモリである場合には電源がオフされた際にメモリ上に記憶されていたジョブ情報が消滅してしまったり、という問題がある。
【０００７】
本発明の課題は、上記問題に鑑みて、ジョブ情報の読み出し及び書き込みの動作速度の低下の防止及び大量蓄積化を図り、ジョブ情報の管理機能の向上を図ることである。
【課題を解決するための手段】
【０００８】
請求項１に記載の発明によれば、実行が完了したジョブのジョブ情報を記憶する第１記憶手段と、前記ジョブ情報を記憶する容量が前記第１記憶手段よりも大きい不揮発性の第２記憶手段と、前記ジョブ情報を前記第１記憶手段及び前記第２記憶手段に記憶させ、前記ジョブ情報を管理する制御手段と、を備え画像形成装置が提供される。
【０００９】
請求項２に記載の発明によれば、請求項１に記載の画像形成装置において、前記第１記憶手段は、前記ジョブ情報の書き込み及び読み出しが前記第２記憶手段よりも高速であり、前記ジョブ情報を記憶する第１記憶領域と、前記第２記憶手段に記憶する前記ジョブ情報を予め設定された数だけ記憶する第２記憶領域と、を有し、前記制御手段は、定期的に前記第２記憶領域に記憶された前記ジョブ情報を前記第２記憶手段に記憶させる。
【００１０】
請求項３に記載の発明によれば、請求項２に記載の画像形成装置において、前記ジョブ情報を表示する表示手段と、前記表示手段に前記第２記憶手段に記憶されている前記ジョブ情報を表示させる指示を受け付ける入力手段と、を備え、前記制御手段は、前記入力手段により前記第２記憶手段に記憶されている前記ジョブ情報を表示させる指示を受け付けた場合、前記第２記憶手段に記憶されている前記ジョブ情報を読み出して前記第１記憶領域に記憶させ、前記第１記憶領域に記憶された当該ジョブ情報を前記表示手段に表示させる。
【００１１】
請求項４に記載の発明によれば、請求項３に記載の画像形成装置において、前記制御手段は、前記入力手段により前記第２記憶手段に記憶されている前記ジョブ情報を表示させる指示を受け付けた場合、前記第２記憶領域に記憶された前記ジョブ情報を前記第２記憶手段に記憶させ、前記第１記憶領域に記憶されている前記ジョブ情報の件数を記憶した後、前記第２記憶手段に記憶されている前記ジョブ情報を読み出し、前記第２記憶手段に記憶されている前記ジョブ情報の表示を終了する場合、前記第２記憶手段に記憶されている前記ジョブ情報のうち最新の前記ジョブ情報から前記件数分のジョブ情報を前記第１記憶領域に記憶させる。
【発明の効果】
【００１２】
請求項１に記載の発明によれば、画像形成装置内にジョブ情報を記憶する第１記憶手段と第１記憶手段よりも容量が大きく不揮発性の第２記憶手段を備えることから、ジョブ情報を２重で管理することができると共に、記憶されているジョブ情報の書き込みや読み出しを行なう際に外部機器の影響を受けずに一定した動作速度を保ち、かつ、第２記憶手段により大量蓄積化を図ることができるため、ジョブ情報の管理機能の向上を図ることができる。
【００１３】
請求項２に記載の発明によれば、請求項１と同様の効果を得られるのは勿論のこと、画像形成装置が他の処理を並行して行っている場合、高速な動作が求められるが、一旦、高速にジョブ情報の読み出し及び書き込みが可能な第１記憶手段内の第２記憶領域に一次的にジョブ情報を記憶させ、定期的に第２記憶領域に記憶されているジョブ情報を第２記憶手段に記憶させることにより、第２記憶手段へのジョブ情報の書き込みの頻度を下げることができ、即座に他の処理を実行可能とすることができる。
【００１４】
請求項３に記載の発明によれば、請求項２と同様の効果を得られるのは勿論のこと、第２記憶手段に記憶されているジョブ情報を表示手段に表示させる場合、一旦、第２記憶手段よりも高速に読み出し及び書き込みが可能な第１記憶手段の第１記憶領域に記憶させ、この第１記憶領域に記憶されたジョブ情報を表示することにより、ジョブ情報を表示させた後の処理の実行速度を第２記憶手段から直接読み出す場合よりも高速化できる。
【００１５】
請求項４に記載の発明によれば、請求項３と同様の効果を得られるのは勿論のこと、第２記憶手段に記憶されているジョブ情報を表示させる指示を受け付けた場合、発生しているジョブ情報全てを第２記憶手段に記憶させることができると共に、第２記憶手段に記憶されているジョブ情報の表示を終了する場合には、第２記憶手段に記憶されているジョブ情報を表示させる前の状態に第１記憶領域の状態を戻すことができる。
【発明を実施するための最良の形態】
【００１６】
以下、図を参照して本発明の実施の形態を詳細に説明する。
まず、構成を説明する。
図１に、本実施の形態における画像形成装置の構成図を示す。
【００１７】
図１に示すように、画像形成装置は、制御部１０、不揮発メモリ１１、ＲＡＭ（Random Access Memory）１２、ＨＤＤ（Hard Disk Drive）１３、操作部１４、表示部１５、画像メモリ１６、画像処理部１７、通信部１８、画像読取部２０、プリント部３０等を備え、各部は互いに電気的に接続されている。
【００１８】
制御部１０は、ＣＰＵ（Central Processing Unit）等を備え、不揮発メモリ１１に記憶されているシステムプログラム、各種制御プログラム、各種データをＲＡＭ１２内に展開し、これらのプログラム及びデータとの協働により、画像形成装置を構成する各部を統括的に制御する。
【００１９】
また、制御部１０は、実行が完了したジョブのジョブ情報（以下、ジョブ履歴データ）をＲＡＭ１２及びＨＤＤ１３に記憶させるジョブ履歴データ記憶処理と、操作部１４からの指示に従って表示部１５にジョブ履歴データを表示させるジョブ履歴データ表示処理と、を行い、ジョブ履歴データを管理する制御手段としての機能を実現する。
【００２０】
制御部１０は、ジョブ履歴データ記憶処理を実行する際、ＨＤＤ１３にジョブ履歴データを記憶させる場合には、ＲＡＭ１２内の後述する第２記憶領域としての中間バッファに一旦ジョブ履歴データを記憶させ、中間バッファに記憶されたジョブ履歴データを定期的にＨＤＤ１３に記憶させる。
【００２１】
制御部１０は、ジョブ履歴データ表示処理を実行する際、操作部１４によりＨＤＤ１３に記憶されているジョブ履歴データを表示部１５に表示させる指示を受け付けた場合には、中間バッファに記憶されたジョブ履歴データをＨＤＤ１３に記憶させ、ＲＡＭ１２内の後述する第１記憶領域としてのジョブ履歴管理領域に記憶されているジョブ履歴データの件数を記憶した後、ＨＤＤ１３に記憶されているジョブ履歴データを予め設定された条件に基づいて読み出してジョブ履歴管理領域に記憶させ、当該ジョブ履歴管理領域に記憶された当該ジョブ履歴データを表示部１５に表示させる。そして、ＨＤＤ１３に記憶されているジョブ履歴データの表示を終了する場合、ＨＤＤ１３に記憶されているジョブ履歴データのうち最新のジョブ履歴データから記憶していた件数のジョブ履歴データをジョブ履歴管理領域に記憶させ、ＨＤＤ１３に記憶されているジョブデータを表示部１５に表示させる前の状態にジョブ履歴管理領域の状態を戻す。
【００２２】
不揮発メモリ１１は、ＲＯＭ（Read Only Memory）やＨＤＤ等の不揮発性のメモリを備え、制御部１０により実行されるシステムプログラム、各種制御プログラム、ジョブ履歴データ記憶処理及びジョブ履歴データ表示処理を実行するためのプログラム、これらのプログラムに係るデータ等を記憶している。
【００２３】
ＲＡＭ１２は、制御部１０によって実行される各種プログラム及びこれらに係るデータを一時的に記憶するワークエリアを形成すると共に、予約ジョブ管理領域１２ａ、ジョブ履歴管理領域１２ｂ、中間バッファ１２ｃを有し、実行が完了したジョブのジョブデータをジョブ履歴データとして記憶し、ジョブ履歴データの書き込み及び読み出しがＨＤＤ１３よりも高速な第１記憶手段としての機能を実現する。
【００２４】
なお、本実施の形態においては、第１記憶手段としてＲＡＭ１２を挙げて説明するが、これに限らず、第２記憶手段（本実施の形態ではＨＤＤ１３）よりも高速にジョブ履歴データの書き込み及び読み出しが可能なメモリであればよい。
【００２５】
図２に、ＲＡＭ１２内の構成を示す。
図２に示すように、ＲＡＭ１２は、予約ジョブ管理領域１２ａ、ジョブ履歴管理領域１２ｂ、中間バッファ１２ｃを有している。
【００２６】
予約ジョブ管理領域１２ａは、ＲＡＭ１２内において予め設定された領域であり、予約され実行が完了していないジョブのジョブデータが記憶される領域である。
【００２７】
ジョブ履歴管理領域１２ｂは、ＲＡＭ１２内において予め設定された領域であり、実行が完了したジョブのジョブデータがジョブ履歴データとして記憶される領域、即ち、第１記憶領域である。
【００２８】
中間バッファ１２ｃは、ＲＡＭ１２内において予め設定された領域であり、ジョブ履歴管理領域１２ｂよりも小さい領域であり、ＨＤＤ１３に記憶するジョブ履歴データが予め設定された数だけ一時的に記憶される領域、即ち、第２記憶領域である。
【００２９】
ＨＤＤ１３は、ジョブ履歴データを記憶する容量がＲＡＭ１２よりも大きい不揮発性の第２記憶手段としての機能を実現する。
【００３０】
なお、本実施の形態においては、第２記憶手段としてＨＤＤ１３を挙げて説明するが、これに限らず、第１記憶手段（本実施の形態ではＲＡＭ１２）よりも大容量の不揮発性のメモリあればよい。
【００３１】
操作部１４は、コピースタートキー、テンキー等の各種操作ハードキーを備え、これらの操作ハードキーの操作信号を制御部１０に出力する。また、操作部１４は、表示部１５のＬＣＤを覆うように設けられたタッチパネルを有し、電磁誘導式、磁気歪式、感圧式等の座標読み取り原理でタッチ指示された座標を検出し、検出した座標を制御部１０に出力することにより、表示部１５に表示された画面上において、ＲＡＭ１２又はＨＤＤ１３に記憶されているジョブ履歴データを表示させる指示を受け付ける入力手段としての機能を実現する。
【００３２】
表示部１５は、ＬＣＤ（Liquid Crystal Display）等の表示画面と、表示画面上に操作画面を表示させるためのデータを一時的に記憶するＶＲＡＭ（Video Random Access Memory）等を備え、制御部１０からＶＲＡＭに書込まれたデータに従って、所要の各種画面の表示を行う。また、表示部１５は、制御部１０からの指示に従って、ジョブ履歴データを表示する第１ジョブ履歴表示画面Ｇ１及び第２ジョブ履歴表示画面Ｇ２を表示画面上に表示する表示手段としての機能を実現する。
【００３３】
図３に、第１ジョブ履歴表示画面Ｇ１の例を示し、図４に第２ジョブ履歴表示画面Ｇ２の例を示す。
【００３４】
図３に示すように、第１ジョブ履歴表示画面Ｇ１は、出力履歴ボタンＢ１１、履歴表示切替ボタンＢ１２、ジョブ履歴表示エリアＥ１１等を有している。
【００３５】
出力履歴ボタンＢ１１は、実行が完了したジョブのジョブ履歴データをジョブ履歴表示エリアＥ１１に表示させる指示を受け付けるボタンである。
【００３６】
履歴表示切替ボタンＢ１２は、ジョブ履歴表示エリアＥ１１に表示されているジョブ履歴データをＨＤＤ１３に記憶されているジョブ履歴データに切り替えて表示する第２ジョブ履歴表示画面Ｇ２を表示させる指示を受け付けるボタンである。即ち、第１ジョブ履歴表示画面Ｇ１のジョブ履歴表示エリアＥ１１に表示されているジョブ履歴データは、ＲＡＭ１２のジョブ履歴管理領域１２ｂに記憶されているジョブ履歴データである。
【００３７】
図４に示すように、第２ジョブ履歴表示画面Ｇ２は、第１ジョブ履歴表示画面Ｇ１と同様の出力履歴ボタンＢ１１及びジョブ履歴表示エリアＥ１１、履歴表示切替ボタンＢ２１、日付表示エリアＥ２１、前の日ボタンＢ２２、次の日ボタンＢ２３等を有している。
【００３８】
履歴表示切替ボタンＢ２１は、ジョブ履歴表示エリアＥ１１に表示されているジョブ履歴データをＲＡＭ１２のジョブ履歴管理領域１２ｂに記憶されているジョブ履歴データに切り替えて表示する第１ジョブ履歴表示画面Ｇ１を表示させる指示を受け付けるボタンである。即ち、第２ジョブ履歴表示画面Ｇ２のジョブ履歴表示エリアＥ１１に表示されているジョブ履歴データは、ＨＤＤ１３に記憶されているジョブ履歴データである。
【００３９】
日付表示エリアＥ２１は、ジョブ履歴表示エリアＥ１１に表示されているジョブ履歴データの日付を示している。前の日ボタンＢ２２は、日付表示エリアＥ２１に表示されている日付の前日のＨＤＤ１３に記憶されているジョブ履歴データを表示させる指示を受け付けるボタンである。次の日ボタンＢ２３は、日付表示エリアＥ２１に表示されている日付の後日のＨＤＤ１３に記憶されているジョブ履歴データを表示させる指示を受け付けるボタンである。
【００４０】
画像メモリ１６は、ＤＲＡＭ（Dynamic RAM）により構成され、圧縮された画像データを一時的に記憶する圧縮メモリと、印刷出力前にプリント出力対象の非圧縮の画像データを一時的に格納するページメモリとを有する。
【００４１】
画像処理部１７は、制御部１０の指示に基づいて、画像読取部２０から出力された画像データや通信部１８を介して送信された画像データを圧縮して、画像メモリ１６の圧縮メモリに圧縮画像データとして書き込んで一時的に記憶させる。
【００４２】
通信部１８は、ＮＩＣやモデム、ＵＳＢ等の各種インターフェースを備えて構成され、ネットワーク上の外部機器と相互に情報の送受信を行う。
【００４３】
画像読取部２０は、コンタクトガラスの下部に、光源、ＣＣＤ（Charge Coupled Devices）等の光電変換素子等を備えて構成され、コンタクトガラス上に載置された原稿を光走査し、その反射光をＣＣＤにより光電変換後、デジタル変換してその原稿の画像データを取得する。
【００４４】
プリント部３０は、各種類の用紙を給紙する給紙部（不図示）を備え、制御部１０によりプリント指示されページメモリに格納された画像データに基づいて、指定された用紙上に画像の形成を行う。なお、画像形成方式は、電子写真方式、インクジェット方式等の何れの方式であってもよい。
【００４５】
次に、本実施の形態の動作を説明する。
図５、６に、本実施の形態におけるジョブ履歴データ記憶処理のフローチャートを示す。図５には、ジョブの実行が完了したときに実行される処理を示し、図６には、中間バッファ１２ｃに記憶されているジョブ履歴データをＨＤＤ１３に記憶させる処理を示す。
【００４６】
なお、図５、６に示す処理は、制御部１０と不揮発メモリ１１に記憶されているジョブ履歴データ記憶処理のプログラム、ＲＡＭ１２、ＨＤＤ１３との協働により実行されるものである。
【００４７】
図５に示すように、制御部１０は、ジョブの実行が完了すると（ステップＳ１）、実行が完了したジョブのジョブデータからジョブ履歴データを生成する（ステップＳ２）。
【００４８】
そして制御部１０は、生成したジョブ履歴データをＲＡＭ１２内のジョブ履歴管理領域１２ｂに記憶させる（ステップＳ３）と共に、中間バッファ１２ｃに当該ジョブ履歴データの複製を記憶させ（ステップＳ４）、本処理を終了する。
【００４９】
図６に示すように、制御部１０は、中間バッファ１２ｃに記憶されているジョブ履歴データをＨＤＤ１３に記憶させる処理を実行する際、まず、中間バッファ１２ｃに記憶されているジョブ履歴データがＨＤＤ１３に記憶されたときから予め設定された時間（所定時間）が経過したか否かを判別する（ステップＳ１１）。
【００５０】
この所定時間は、ジョブ履歴データが発生する最短時間間隔と、中間バッファ１２ｃに記憶可能なジョブ履歴データの数とに基づいて設定されるものであり、ジョブ履歴データが中間バッファ１２ｃに記憶できない状態が発生しないよう設定されるものである。
【００５１】
制御部１０は、所定時間が経過していない場合（ステップＳ１１；Ｎｏ）、所定時間が経過するまで待機する（ステップＳ１１に戻る）。
【００５２】
制御部１０は、所定時間が経過した場合（ステップＳ１１；Ｙｅｓ）、中間バッファ１２ｃにジョブ履歴データがあるか否かを判別し（ステップＳ１２）、ジョブ履歴データがない場合（ステップＳ１２；Ｎｏ）、ステップＳ１１に戻る。
【００５３】
制御部１０は、中間バッファ１２ｃにジョブ履歴データがある場合（ステップＳ１２；Ｙｅｓ）、所定時間が経過したときに中間バッファ１２ｃに記憶されているジョブ履歴データをＨＤＤ１３へ記憶するジョブ履歴データとして確定する（ステップＳ１３）。
【００５４】
制御部１０は、ステップＳ１３において確定したジョブ履歴データの複製を生成し、当該複製したジョブ履歴データをＨＤＤ１３に記憶させる（ステップＳ１４）。
【００５５】
制御部１０は、ステップＳ１３において確定した中間バッファ１２ｃ内のジョブ履歴データを消去し（ステップＳ１５）、本処理を終了する。
【００５６】
つまり、図６に示す処理は、所定時間経過毎、即ち、定期的に繰り返し実行されるものである。
【００５７】
図７に、本実施の形態におけるジョブ履歴データ表示処理のフローチャートを示す。
なお、図７に示す処理は、制御部１０と不揮発メモリ１１に記憶されているジョブ履歴データ表示処理のプログラム、ＲＡＭ１２、ＨＤＤ１３との協働により実行されるものである。
【００５８】
制御部１０は、表示部１５に表示されている第１ジョブ履歴表示画面Ｇ１の履歴表示切替ボタンＢ１２が押下された場合、画像形成装置がアイドリング状態か否かを判別し（ステップＳ２１）、アイドリング状態でない場合（ステップＳ２１；Ｎｏ）、アイドリング状態になるまで待機する。
【００５９】
制御部１０は、画像形成装置がアイドリング状態である場合（ステップＳ２１；Ｙｅｓ）、中間バッファ１２ｃにジョブ履歴データがあるか否かを判別し（ステップＳ２２）、ジョブ履歴データがない場合（ステップＳ２２；Ｎｏ）、ステップＳ２６に進む。
【００６０】
制御部１０は、中間バッファ１２ｃにジョブ履歴データがある場合（ステップＳ２２；Ｙｅｓ）、中間バッファ１２ｃに記憶されているジョブ履歴データをＨＤＤ１３へ記憶するジョブ履歴データとして確定する（ステップＳ２３）。
【００６１】
制御部１０は、ステップＳ２３において確定したジョブ履歴データの複製を生成し、当該複製したジョブ履歴データをＨＤＤ１３に記憶させる（ステップＳ２４）。
【００６２】
制御部１０は、ステップＳ２３において確定した中間バッファ１２ｃ内のジョブ履歴データを消去する（ステップＳ２５）。
【００６３】
ステップＳ２２〜２５が実行されることにより、画像形成装置がアイドリング状態になる前までに実行が完了した全てのジョブのジョブ履歴データがＨＤＤ１３に記憶されることとなる。
【００６４】
制御部１０は、ステップＳ２２；Ｎｏ後又はステップＳ２５後、第１ジョブ履歴表示画面Ｇ１のジョブ履歴表示エリアＥ１１に表示されているジョブ履歴データの数Ｎ、即ち、ＲＡＭ１２のジョブ履歴管理領域１２ｂに記憶されているジョブ履歴データの件数を記憶する（ステップＳ２６）。
【００６５】
制御部１０は、ステップＳ２６後、ＨＤＤ１３に記憶されているジョブ履歴データを参照し（ステップＳ２７）、参照されているＨＤＤ１３のジョブ履歴データのうち予め設定された条件に該当するジョブ履歴データを読み出して複製を生成し、読み出したジョブ履歴データの複製をジョブ履歴管理領域１２ｂに上書きして記憶させる（ステップＳ２８）。
【００６６】
制御部１０は、第２ジョブ履歴表示画面Ｇ２を表示部１５に表示させ、この第２ジョブ履歴表示画面Ｇ２のジョブ履歴表示エリアＥ１２にジョブ履歴管理領域１２ｂに記憶されたジョブ履歴データを表示させる（ステップＳ２９）。
【００６７】
制御部１０は、第２ジョブ履歴表示画面Ｇ２の履歴表示切替ボタンＢ２１又は前の日ボタンＢ２２、次の日ボタンＢ２３が押下されたか否かにより、ＨＤＤ１３に記憶されているジョブ履歴データの表示が完了したか否かを判別する（ステップＳ３０）。
【００６８】
制御部１０は、前の日ボタンＢ２２又は次の日ボタンＢ２３が押下された場合、即ち、ＨＤＤ１３に記憶されているジョブ履歴データの表示が完了していない場合（ステップＳ３０；Ｎｏ）、ステップＳ２７に戻る。
【００６９】
制御部１０は、履歴表示切替ボタンＢ２１が押下された場合、即ち、ＨＤＤ１３に記憶されているジョブ履歴データの表示が完了した場合（ステップＳ３０；Ｙｅｓ）、ＨＤＤ１３に記憶されているジョブ履歴データのうち、最新の日付のジョブ履歴データからステップＳ２６において記憶した件数Ｎのジョブ履歴データを読み出して複製を生成し、当該読み出したＮ件のジョブ履歴データの複製をＲＡＭ１２のジョブ履歴管理領域１２ｂに上書きして記憶させ（ステップＳ３１）、本処理を終了する。
【００７０】
このように、本実施の形態によれば、画像形成装置内にジョブ履歴データを記憶するＲＡＭ１２とＲＡＭ１２よりも容量が大きく不揮発性のＨＤＤ１３を備えることから、ジョブ履歴データを２重で管理することができると共に、記憶されているジョブ履歴データの書き込みや読み出しを行なう際に外部機器の影響を受けずに一定した動作速度を保ち、かつ、ＨＤＤ１３により大量蓄積化を図ることができるため、ジョブ履歴データの管理機能の向上を図ることができる。
【００７１】
特に、画像形成装置が他の処理を並行して行っている場合、高速な動作が求められるが、一旦、高速にジョブ履歴データの読み出し及び書き込みが可能なＲＡＭ１２内の中間バッファ１２ｃに一次的にジョブ履歴データを記憶させ、定期的に中間バッファ１２ｃに記憶されているジョブ履歴データをＨＤＤ１３に記憶させることにより、ＨＤＤ１３へのジョブ履歴データの書き込みの頻度を下げることができ、即座に他の処理を実行可能とすることができる。
【００７２】
また、ＨＤＤ１３に記憶されているジョブ履歴データを表示部１５に表示させる場合、一旦、ＨＤＤ１３よりも高速に読み出し及び書き込みが可能なＲＡＭ１２のジョブ履歴管理領域１２ｂに記憶させ、このジョブ履歴管理領域１２ｂに記憶されたジョブ履歴データを表示することにより、ジョブ履歴データを表示させた後の処理の実行速度をＨＤＤ１３から直接読み出す場合よりも高速化できる。
【００７３】
更に、ＨＤＤ１３に記憶されているジョブ履歴データを表示させる指示を受け付けた場合、発生しているジョブ履歴データ全てをＨＤＤ１３に記憶させることができると共に、ＨＤＤ１３に記憶されているジョブ履歴データの表示を終了する場合には、ＨＤＤ１３に記憶されているジョブ履歴データを表示させる前の状態にジョブ履歴管理領域１２ｂの状態を戻すことができる。
【００７４】
また、本発明は、上記実施の形態の内容に限定されるものではなく、本発明の主旨を逸脱しない範囲で適宜変更可能である。
【図面の簡単な説明】
【００７５】
【図１】本実施の形態における画像形成装置の構成を示す図である。
【図２】ＲＡＭ内の構成を示す図である。
【図３】第１ジョブ履歴表示画面の例を示す図である。
【図４】第２ジョブ履歴表示画面の例を示す図である。
【図５】本実施の形態におけるジョブ履歴データ記憶処理のフローチャートのジョブの実行が完了したときに実行される処理を示す図である。
【図６】本実施の形態におけるジョブ履歴データ記憶処理のフローチャートの中間バッファに記憶されているジョブ履歴データをＨＤＤに記憶させる処理を示す図である。
【図７】本実施の形態におけるジョブ履歴データ表示処理のフローチャートを示す図である。
【符号の説明】
【００７６】
１０  制御部
１１  不揮発メモリ
１２  ＲＡＭ
１２ａ  予約ジョブ管理領域
１２ｂ  ジョブ履歴管理領域
１２ｃ  中間バッファ
１３  ＨＤＤ
１４  操作部
１５  表示部
１６  画像メモリ
１７  画像処理部
１８  通信部
２０  画像読取部
３０  プリント部
Ｂ１１  出力履歴ボタン
Ｂ１２  履歴表示切替ボタン
Ｂ２１  履歴表示切替ボタン
Ｂ２２  前の日ボタン
Ｂ２３  次の日ボタン
Ｅ１１  ジョブ履歴表示エリア
Ｅ１２  ジョブ履歴表示エリア
Ｅ２１  日付表示エリア
Ｇ１  第１ジョブ履歴表示画面
Ｇ２  第２ジョブ履歴表示画面
【図１】
2008302578.tif 000003
【図２】
2008302578.tif 000004
【図３】
2008302578.tif 000005
【図４】
2008302578.tif 000006
【図５】
2008302578.tif 000007
【図６】
2008302578.tif 000008
【図７】
2008302578.tif 000009